(57)【要約】      （修正有）【課題】ウイルスが侵入しても、自己復元が容易に行えるとともに、自らが、ウイルスの発信者にならないこと、また使用者が認知していない情報を勝手に持ち出されないようにして、安心してインターネットが活用できるようになることを目的とする。【解決手段】新たにバックアップ装置を設け情報処理装置本体と内部ゲートで結び、また、入出力装置と情報処理装置本体との間にも外部ゲートを用意した。さらに、これらのゲートの制御に機械的なスイッチとウイルス検出専用プロセッサーを用いた。この結果、外部から侵入したウイルスがシステム内に残留することを防ぐとともに、ウイルスが外部に発信されたり、データが奪われたりしないので、インターネットと２４時間接続したままにしても安心して使用できる。【選択図】図２
2007018465.tif 000002
【特許請求の範囲】
【請求項１】
バックアップ装置として復元専用のプロセッサーと復元専用の記憶装置を持ち、これを情報処理装置本体と機械的スイッチを内蔵する内部ゲートで接続し、入出力装置と情報処理装置本体とも同様に機械的スイッチを内蔵する外部ゲートで接続するとともに、情報処理装置本体にはワーク用のＣＰＵの他に、独立してプログラム用のＲＯＭを抱えたウイルス検出用プロセッサーを備えたことを特徴とするインターネット通信用情報処理装置
【請求項２】
ウイルス検出用プロセッサーはプログラムのための特別なＲＯＭを抱えるとともに、主記憶装置を常時モニタリングしているにもかかわらず、主記憶装置からは一切のプログラムも実行されないようにハード的に組まれていることを特徴とした請求項１の情報処理装置
【請求項３】
安全を確保するために常時閉じた（ＯＦＦとした）外部出力ゲートと保存用内部ゲート１は各々に対応する『送信』、『保存』の機械的スイッチからの入力信号だけでなく、ウイルス検出用プロセッサーからの安全確認の信号が入力されないと動作しないようにしたことを特徴とする請求項１のインターネット用情報処理装置
【請求項４】
ウイルスが検出された際に操作する機械的スイッチ（『復元』）は、このスイッチを操作することで、入力ゲートを遮断（ＯＦＦ）することと内部ゲート２を開く（ＯＮ）ことが同時に行えるように設定されたことを特徴とする請求項１のインターネット用情報処理装置
【請求項５】
請求項３及び請求項４に示した機械的なスイッチは情報処理装置本体のＣＰＵから一切制御されておらず、直接オペレーターがこれらのスイッチを操作する以外にも、電話その他の方法で遠隔操作により使用者が直接入力することができるようにしたことを特徴とする情報処理装置
【請求項６】
ウイルス検出用プロセッサーは情報処理装置本体のＣＰＵから完全に独立した専用の警告発信手段を持ち、これによって異常時にオペレーターや遠くに離れた使用者が認識できるようにしたことを特徴とする情報処理装置。
【請求項７】
本発明で追加した外部ゲート、内部ゲート、バックアップ装置を情報処理装置本体と一体として、一つのモールドに成型したことを特徴とする情報処理装置
【発明の詳細な説明】
【技術分野】
【０００１】本発明が該当する分野はコンピューター、携帯電話、及び制御装置と通信装置を備えた電気製品のようにインターネットを用いた情報交換が可能な情報処理装置であり、外部とのやりとりの手段は無線及び有線の両方を含む。
【背景技術】
【０００２】図１に従来のシステムを示す。ＣＰＵと記憶装置で情報処理をおこなっており、制御は全てＣＰＵで行っていた。そこで、ＣＰＵ内部にウイルスが侵入すると大変困難な問題が生じていた。
【発明が解決しようとしている課題】
【０００３】コンピューターや携帯電話の使用者が知らない間に勝手に情報を盗まれたり、設定を変更されたり、動作させるプログラムに侵入し、表面に見えているのとは全く別の作業をして、使用者に損害が発生することがあった。また、誤ってそのまま送信することで、ウイルスを他の人に送付する危険もあった。
【発明の目的】
【０００４】ウイルスが侵入しても、自己復元が容易に行えるとともに、自らが、ウイルスの発信者にならないこと、また使用者が認知していない情報を勝手に持ち出されないようにして、安心してインターネットが活用できるようになることを目的とする。
【課題を解決するための手段】
【０００５】従来の情報処理装置を情報処理装置本体とバックアップ装置とに分け、これを２種類の内部ゲートでつなぐ。さらに情報処理装置本体と入力装置や出力装置を２種類の外部ゲートでつなぐ。このようにしてこれらのゲートのうち、常時接続されているのは入力ゲートだけとし、他のゲートはウイルスが認められず安全であることが確認されたら、オペレータ自身が機械的スイッチの操作をすることによりゲートが開かれる（ＯＮとなる）。このようにすることで、ウイルスが侵入し、知らない間にデータを持ち去ったり、プログラムに侵入して回復が困難になることを避けることができる。
【０００６】以下に図２を参考にしながら具体的に本発明の解決方法を示す。従来の情報処理装置のほか外部ゲート、内部ゲート、バックアップ装置の３つを新たに加え四つに区分する。内部ゲート、外部ゲートには機械的なスイッチを含む回路が形成されており、単にプログラムだけでは動作できないようになっている。
【０００７】図２では『送信』『保存』『復元』が機械的なスイッチである。また、常時ウイルスが存在しないか監視をするために専用のプログラムを持った専用のプロセッサーが情報処理装置本体に組み込まれている。これは作業用のＣＰＵから完全に独立して動作する。監視のために、主記憶装置から常時サンプリングするように回路が組まれている。さらにバックアップ装置には作業開始前の状況を全て保管しておく副記憶装置と復元専用のプロセッサーが組み込まれている。
【０００８】次に実際の安全性を使用状況別に確認してゆく。インターネットをしていて作業がかなり処理できたので、外部に送信したいとき。従来の場合には、出力回路が常に接続されているので、ウイルスが侵入した場合には気がつかないうちに、データを勝手に持ち出されたり、送信される準備がされていた。本発明では常時監視しているので、問題があれば復元のスイッチを押すことになるが、問題がなかった場合にはオペレーターが自ら送信のスイッチを操作して送信を確認する。これによって誤ってウイルスを他の人に送ったり、自分のデータが流出する危険をなくすことができる。尚、送信のための出力ゲートは機械的スイッチの入力のほか、ウイルス検出用プロセッサーからの安全であることの信号が入力されないと動作しないようになっている。
【０００９】仕事が一段落したら現状を保存する。この場合にはそれまで閉じていたバックアップ装置との間の内部ゲート１を開けるが、これも送信と同様に二つの入力が確認されないと動作しない。
【００１０】作業中にウイルスが検出されるときもある。その際はウイルス検出用のプロセッサーに専用のブザーや発光ダイードでオペレータに知らせるようにしておく。オペレーターは直ちに『復元』スイッチを押すとこれによって入力ゲートが遮断されるため、外部からの入力が遮断されるとともに、情報処理装置本体とバックアップ装置が内部ゲート２がＯＮになり、接続されることでシステムが復元がされることになる。
【００１１】尚、このブザーや発光ダイオードについては別の場所にいても確認できるようにするために、専用の発信機を取り付けることも可能である。また、パソコンをいつでも受信できるようにしておいて外出した場合でも、携帯電話または固定電話で機械的なスイッチを動作できるようにする。パソコンのＣＰＵに制御されていなければ必ずしも機械的なスイッチでなくてもよいので、電話で制御できるものがパソコンに組み込まれておればいいことになる。
【００１２】さらに、本発明で新たに追加した外部ゲート、内部ゲート、バックアップ装置は必ずしも、別々のモールドとして分離されている必要はなく、電気的に等価な回路となって独立できていれば一体として成型することが可能である。このようにすることで、携帯電話のような機器に本発明を導入しやすくなるメリットがある。
【発明の効果】
【００１３】本発明のシステムを利用することで、ウイルスが侵入しても、自分のデータを勝手に持ち出されたり、内部のプログラムを破壊されたりしないので、安全に使用できる。このため、ウイルスを作っても意味がなくなるので、今後開発されるソフトにウイルス対策の部分が不要となり安価となるとともに、処理速度を早くできる。
【図面の簡単な説明】
【図１】
2007018465.tif 000003
【図２】
2007018465.tif 000004
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
バックアップ装置として復元専用のプロセッサーと復元専用の記憶装置を持ち、これを情報処理装置本体と機械的スイッチを内蔵する内部ゲートで接続し、さらに入出力装置と情報処理装置本体を同様に機械的スイッチを内蔵する外部ゲートで接続するとともに、情報処理装置本体には、作業用のＣＰＵの他に、独立してプログラム用のＲＯＭを抱えたウイルス検出用プロセッサーを備えたことを特徴とするインターネット通信用情報処理装置
【請求項２】
ウイルス検出用プロセッサーはプログラムのための特別なＲＯＭを抱えるとともに、主記憶装置を常時モニターリングするが、作業用のＣＰＵや主記憶装置からは一切のプログラムも実行されないようにハード的に回路が形成されている事を特徴とした請求項１のインターネット通信情報処理装置
【請求項３】
安全を確保するために常時閉じた（ＯＦＦとした）外部出力ゲートと保存用内部ゲート１は各々に対応する送信の機械的スイッチ及び保存の機械的スイッチからの入力信号だけでなく、ウイルス検出用プロセッサーからの安全確認の信号が入力されないと動作しないようにしたことを特徴とする請求項１のインターネット通信用情報処理装置
【請求項４】
ウイルスが検出された際に、操作する復元の機械的スイッチはこのスイッチを操作することで、単に制御装置にプログラム復元の指令を出すだけではなく、入力ゲートを閉じる（ＯＦＦ）ことと内部ゲート２を開く（ＯＮ）ことも同時に行えるように設定されたことを特徴とする請求項１のインターネット通信用情報処理装置
【請求項５】
請求項３および請求項４に示した機械的スイッチは情報処理装置本体の作業用ＣＰＵから一切制御されておらず、直接オペレーターがこれらのスイッチを操作したり、あるいは電話やその他の方法で遠隔操作により使用者が直接入力して機械的スイッチを操作するようにしたことを特徴とするインターネット通信用情報処理装置
【請求項６】
ウイルス検出用プロセッサーは情報処理装置本体のＣＰＵから完全に独立した専用の警報発信手段を持ち、これによって異常時にオペレーターや遠くに離れた使用者が認識できるようにしたことを特徴とするインターネット通信用情報処理装置
【請求項７】
本発明で追加した外部ゲート、内部ゲート、バックアップ装置を情報処理装置本体と一体として、一つのモールドに成型したことを特徴とするインターネット通信用情報処理装置
【手続補正２】
【補正対象書類名】明細書
【補正対象項目名】全文
【補正方法】変更
【補正の内容】
【発明の詳細な説明】
【技術分野】
【０００１】本発明が該当する分野はコンピューター、携帯電話、及び制御装置と通信装置を備えた電気製品のようにインターネットを用いた情報交換が可能な情報処理装置であり、外部とのやりとりの手段は無線及び有線の両方を含む。
【背景技術】
【０００２】図１に従来のシステムを示す。ＣＰＵと記憶装置で情報処理を行っており、制御はすべてＣＰＵで行っていた。そこで、ＣＰＵ内部にウイルスが侵入すると大変困難な問題が生じていた。
【発明が解決しようとしている課題】
【０００３】コンピューターや携帯電話の使用者が知らない間に勝手に情報を盗まれたり、設定を変更されたり、作動させるプログラムに浸入し、表面に見えているのとは全く別の作業をして、使用者に損害が発生することがあった。また、誤ってそのまま送信することで、ウイルスを他の人に送付する危険もあった。
【発明の目的】
【０００４】ウイルスが浸入しても、自己復元が容易に行えるとともに、自らが、ウイルスの発信者にならないこと。また、使用者が認知しないで勝手に情報を持ち出されないようにして、安心してインターネットが活用できるようになることを目的とする。
【課題を解決するための手段】
【０００５】図２は本発明の情報処理装置の構成を概略で示したものである。従来の情報処理装置を情報処理装置本体とバックアップ装置とに分け、これを２種類の内部ゲートｂ１１及びｂ１２でつなぐ。さらに情報処理装置本体と入力装置や出力装置を２種類の外部ゲートｂ２及びｂ３でつなぐ。このようにしてこれらのゲートのうち、常時接続されているのは入力ゲートｂ３だけとし、他のゲートはウイルスが認められず安全であることが確認されたら、オペレーター自身が機械的スイッチ送信スイッチｂ１、保存スイッチｂ９、復元スイッチｂ１０の操作をすることによりゲートが開かれる（ＯＮとなる）。このようにすることで、ウイルスが浸入し、知らない間にデータが持ち去られたり、プログラムに浸入して回復が困難になることを避けることができる。
【０００６】従来の情報処理装置のほかに外部ゲート、内部ゲート、バックアップ装置の三つを新たに加え四つに区分する。内部ゲート、外部ゲートには機械的なスイッチを含む回路が形成されており、単にプログラムでは動作できないようになっている。
【０００７】図２では送信スイッチｂ１、保存スイッチｂ９、復元スイッチｂ１０が機械的なスイッチである。また、常時ウイルスが存在しないか監視をするために専用のプログラムを持ったＲＯＭｂ８を抱えたウイルス監視用プロセッサーｂ７が情報処理装置本体に組み込まれている。これは作業用ＣＰＵから完全に独立して動作する。監視のために主記憶装置ｂ６から常時サンプリングするように回路が形成されている。さらに、バックアップ装置には作業開始前の状況を全て保管しておく副記憶装置ｂ１３と復元専用のプロセッサーｂ１４が組み込まれている。
【０００８】次に実際の安全性を使用状況別に確認してゆく。インターネットを使用して情報処理の作業後に、外部に送信したいとき、従来は出力回路が常に接続されているので、ウイルスが浸入して気づかないうちにデータを勝手に持ち出されたり、送信される準備がされていた。本発明では、常時監視しているので、ウイルスが浸入していれば警報が発せられて気付き、復元のスイッチを押すことになるが、問題が無かった場合には、オペレーターが自ら送信スイッチｂ１を操作して送信を確認する。これによって誤ってウイルスを他の人に送ったり、自分のデータが流出する危険をなくすことができる。図２に示すように送信のための出力ゲートｂ２は機械的スイッチの入力だけでなく、ウイルス検出用プロセッサーｂ７からの安全であることの信号が入力されないと動作しないようになっている。尚、送信スイッチｂ１を操作すると当然に、作業用ＣＰＵの制御装置に送信指令の信号を出力する。
【０００９】作業が一段落したら現状を保存する。この場合にはそれまで閉じていたバックアップ装置との間の内部ゲート１ｂ１１を開けるが、これも送信と同様に単に保存スイッチｂ９からの信号だけでなく、ウイルス検出用プロセッサーからの安全であることの信号が入力されないと内部ゲートｂ１１は開けることができない。尚、保存スイッチｂ９が動作すれば、作業用ＣＰＵの制御装置に保存指令の信号も同時に出力される。
【００１０】作業中にウイルスが検出された場合。この場合にはウイルス検出用のプロセッサーに接続されたブザーや発行ダイオードによりオペレーターはウイルスの浸入を確認できる。オペレーターは直ちに作業を中断し、復元スイッチｂ１０を操作する。それによって外部からの入力ゲートが閉じられるとともに、内部ゲート２ｂ１２が開く（ＯＮになる）。尚、復元スイッチｂ１０が動作すれば作業用ＣＰＵの制御装置にプログラムの復元指令の信号も同時に出力される。
【００１１】尚、このブザーや発行ダイオードについては別の場所にいても確認できるようにするため専用の発信機を取り付けることも可能である。このようにすることで、パソコンをインターネットにつないだまま、いつでも受信できるようにしておいて外出した場合でも、トラブルが生じた場合には、携帯電話または固定電話で機械的なスイッチを動作できる。パソコンの作業用ＣＰＵに制御されていなければ必ずしも機械的ナスイッチでなくてもよいので、電話で制御できるものがパソコンに組み込まれておればよいことになる。
【００１２】さらに、本発明で新たに追加した外部ゲート、内部ゲート、バックアップ装置は必ずしも、別々のモールドとして分離されている必要はなく、電気的に等価な回路となって独立できていれば一体として成型することも可能である。このようにすることで、携帯電話のように持ち運べる機器に本発明を導入しやすくなるメリットがある。
【発明の効果】
【００１３】本発明のシステムをインターネット通信用情報処理装置に利用することで、ウイルスが浸入しても、自分のデータが勝手に持ち出されたり、内部のプログラムを破壊されたりしないので、安全に使用できる。このため、ウイルスを作っても意味が無くなるので、今後開発されるソフトにウイルス対策の部分が不要となり、安価となるとともに、処理速度を早くできる。
【図面の簡単な説明】
【００１４】
【図１】  従来のインターネット通信情報処理装置の一般的構成図を示す。
【図２】  本発明によるインターネット通信情報処理装置概略構成図を示す。
【符号の説明】
ａ１  従来の一般的作業用ＣＰＵの演算装置
ａ２  従来の一般的作業用ＣＰＵの制御装置
ａ３  従来の一般的作業用ＣＰＵの記憶装置
ｂ１  本発明の機械的スイッチである送信スイッチ
ｂ２  本発明の出力ゲート
ｂ３  本発明の入力ゲート
ｂ４  情報処理装置本体の作業用ＣＰＵにある演算装置
ｂ５  情報処理装置本体の作業用ＣＰＵにある制御装置
ｂ６  情報処理装置本体の主記憶装置
ｂ７  専用に組み込まれたウイルス検出用プロセッサー
ｂ８  ウイルス検出用プロセッサーのためのプログラムを提供するＲＯＭ
ｂ９  本発明の機械的スイッチである保存スイッチ
ｂ１０  本発明の機械的である復元スイッチ
ｂ１１  本発明の内部ゲート１
ｂ１２  本発明の内部ゲート２
ｂ１３  情報処理装置本体から独立した副記憶装置
ｂ１４  情報処理装置本体から独立した復元専用プロセッサー
【手続補正３】
【補正対象書類名】図面
【補正対象項目名】全文
【補正方法】変更
【補正の内容】
【書類名】図面
【図１】
2007018465.tif 000005
【図２】
2007018465.tif 000006
【手続補正書】
【提出日】平成17年10月6日(2005.10.6)
【手続補正１】
【補正対象書類名】図面
【補正対象項目名】図２
【補正方法】変更
【補正の内容】
【図２】
2007018465.tif 000007
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
情報処理装置の構成を入出力装置と外部ゲート、情報処理装置本体、内部ゲート、及び  バックアップ装置さらに機械的スイッチ部に区分し、入出力装置と情報処理装置本体を外部ゲートで結び、また情報処理装置本体とバックアップ装置を内部ゲートで結んだことを特徴とする請求項１のインターネット通信用情報処理装置
【請求項２】
内部ゲートと外部ゲートは作業用ＣＰＵから完全に独立して動作するとともに、ウイルス検出装置と機械的スイッチのみによって動作するようにしたことを特徴とする請求講１のインターネット通信用情報処理装置
【請求項３】
情報処理装置本体には作業用ＣＰＵのほかに、主記憶装置とウイルス検出用装置を持ち、このうちのウイルス検出装置はＣＰＵから独立したプロセッサーと専用プログラムのためのＲＯＭを備えたことを特徴とする請求項１のインターネット通信用情処理装置
【請求項４】
ウイルス検出用プロセッサーは主記憶装置を常時モニターリングしつつ、結果を直ちに、警報装置と内部ゲート及び外部ゲートに出力するように構成するとともに、ウイルス検出用のプロセッサーからの信号は電源が停止したような場合には、ウイルスが検出されたと同様の信号として受け取られるようにしたことを特徴とする請求項１のインターネット通信用情報処理装置
【請求項５】
電源スイッチは機械的スイッチのみとし、作業用ＣＰＵから完全に独立したことを特徴とする請求項１のインターネット通信用情報処理装置
【請求項６】
作業用ＣＰＵから独立させる手段として、内部ゲートや外部ゲートにゲートの開閉信号を発信できないよう、作業用ＣＰＵにこの部分のアドレスを与えないような回路としたを特徴とするインターネット通信用情報処理装置
【請求項７】
内部ゲートはデータを保存する内部ゲート１と保存されたデータを復元させるための内部ゲート２とから構成され、さらに、外部ゲートは入力側と出力側から構成されこれらは全て独立して動作できるように、機械的スイッチやウイルス検出用プロセッサーからの信号が受けられるように構成されたことを特徴とするインターネット通信情報処理装置
【請求項８】
安全を確保するために常時閉じた（ＯＦＦとした）外部出力ゲートと保存用内部ゲート１は各々に対応する送信の機械的スイッチ及び保存の機械的スイッチからの入力信号だけでなく、ウイルス検出用プロセッサーからの安全確認の信号が入力されないと動作しないようにしたことを特徴とする請求項１のインターネット通信用情報処理装置
【請求項９】
作業終了後の保存の機械的スイッチを操作すると、単に内部ゲート１をＯＮにして制御装置に信号を送るだけでなく、外部入力ゲートをＯＦＦにしたとこを特徴とするインターネット通信用情報処理装置
【請求項１０】
ウイルスが検出された際に、操作する復元の機械的スイッチはこのスイッチを操作することで、単に制御装置にプログラム復元の指令を出すだけではなく、入力ゲートを閉じる（ＯＦＦ）ことと内部ゲート２を開く（ＯＮ）ことも同時に行えるように設定されたことを特徴とする請求項１のインターネット通信用情報処理装置
【請求項１１】
請求項３および請求項４に示した機械的スイッチは情報処理装置本体の作業用ＣＰＵから一切制御されておらず、直接オペレーターがこれらのスイッチを操作したり、あるいは電話やその他の方法で遠隔操作により使用者が直接入力して機械的スイッチを操作するようにしたことを特徴とするインターネット通信用情報処理装置
【請求項１２】
ウイルス検出用プロセッサーは情報処理装置本体のＣＰＵから完全に独立した専用の警報発信手段を持ち、これによって異常時にオペレーターや遠くに離れた使用者が認識できるようにしたことを特徴とするインターネット通信用情報処理装置
【請求項１３】
本発明で追加した外部ゲート、内部ゲート、バックアップ装置を情報処理装置本体と一体として、一つのモールドに成型したことを特徴とするインターネット通信用情報処理装置
【手続補正２】
【補正対象書類名】明細書
【補正対象項目名】全文
【補正方法】変更
【補正の内容】
【発明の詳細な説明】
【技術分野】
【０００１】本発明が該当する分野はコンピューター、携帯電話、及び制御装置と通信装置を備えた電気製品のようにインターネットを用いた情報交換が可能な情報処理装置であり、外部とのやりとりの手段は無線及び有線の両方を含む。
【背景技術】
【０００２】図１に従来のシステムを示す。ＣＰＵと記憶装置で情報処理を行っており、制御はすべてＣＰＵで行っていた。そこで、ＣＰＵ内部にウイルスが侵入すると大変困難な問題が生じていた。
【発明が解決しようとしている課題】
【０００３】コンピューターや携帯電話の使用者が知らない間に勝手に情報を盗まれたり、設定を変更されたり、作動させるプログラムに浸入し、表面に見えているのとは全く別の作業をして、使用者に損害が発生することがあった。また、誤ってそのまま送信することで、ウイルスを他の人に送付する危険もあった。
【発明の目的】
【０００４】ウイルスが浸入しても、自己復元が容易に行えるとともに、自らが、ウイルスの発信者にならないこと。また、使用者が認知しないで勝手に情報を持ち出されないようにして、安心してインターネットが活用できるようになることを目的とする。
【課題を解決するための手段】
【０００５】図２は本発明の情報処理装置の構成を概略で示したものである。従来の情報処理装置を情報処理装置本体とバックアップ装置とに分け、これを２種類の内部ゲートｂ１１及びｂ１２でつなぐ。さらに情報処理装置本体と入力装置や出力装置を２種類の外部ゲートｂ２及びｂ３でつなぐ。このようにしてこれらのゲートのうち、常時接続されているのは入力ゲートｂ３だけとし、他のゲートはウイルスが認められず安全であることが確認されたら、オペレーター自身が機械的スイッチ送信スイッチｂ１、保存スイッチｂ９、復元スイッチｂ１０の操作をすることによりゲートが開かれる（ＯＮとなる）。このようにすることで、ウイルスが浸入し、知らない間にデータが持ち去られたり、プログラムに浸入して回復が困難になることを避けることができる。
【０００６】従来の情報処理装置のほかに外部ゲート、内部ゲート、バックアップ装置の三つを新たに加え四つに区分する。内部ゲート、外部ゲートには機械的なスイッチを含む回路が形成されており、単にプログラムでは動作できないようになっている。
【０００７】図２では送信スイッチｂ１、保存スイッチｂ９、復元スイッチｂ１０が機械的なスイッチである。また、常時ウイルスが存在しないか監視をするために専用のプログラムを持ったＲＯＭｂ８を抱えたウイルス監視用プロセッサーｂ７が情報処理装置本体に組み込まれている。これは作業用ＣＰＵから完全に独立して動作する。監視のために主記憶装置ｂ６から常時サンプリングするように回路が形成されている。さらに、バックアップ装置には作業開始前の状況を全て保管しておく副記憶装置ｂ１３と復元専用のプロセッサーｂ１４が組み込まれている。また装置全体の電源は機械的スイッチのみで操作されるようになっており、作業用ＣＰＵから完全に独立している。さらにすべての内部および外部ゲートは電源が切れた場合にはウイルスが検出されたと同様の状態で停止するように設定されている。
【０００８】次に実際の安全性を使用状況別に確認してゆく。インターネットを使用して情報処理の作業後に、外部に送信したいとき、従来は出力回路が常に接続されているので、ウイルスが浸入して気づかないうちにデータを勝手に持ち出されたり、送信される準備がされていた。本発明では、常時監視しているので、ウイルスが浸入していれば警報が発せられて気付き、復元のスイッチを押すことになるが、問題が無かった場合には、オペレーターが自ら送信スイッチｂ１を操作して送信を確認する。これによって誤ってウイルスを他の人に送ったり、自分のデータが流出する危険をなくすことができる。図２に示すように送信のための出力ゲートｂ２は機械的スイッチの入力だけでなく、ウイルス検出用プロセッサーｂ７からの安全であることの信号が入力されないと動作しないようになっている。尚、送信スイッチｂ１を操作すると当然に、作業用ＣＰＵの制御装置に送信指令の信号を出力する。
【０００９】作業が一段落したら現状を保存する。この場合にはそれまで閉じていたバックアップ装置との間の内部ゲート１ｂ１１を開けるが、これも送信と同様に単に保存スイッチｂ９からの信号だけでなく、ウイルス検出用プロセッサーからの安全であることの信号が入力されないと内部ゲートｂ１１はｏｎにすることができない。尚、保存スイッチｂ９が動作すれば、外部入力ゲートｂ１をｏｆｆとしたのち作業用ＣＰＵの制御装置に保存指令の信号が出力される。
【００１０】作業中にウイルスが検出された場合。この場合にはウイルス検出用のプロセッサーに接続されたブザーや発行ダイオードによりオペレーターはウイルスの浸入を確認できる。オペレーターは直ちに作業を中断し、復元スイッチｂ１０を操作する。それによって外部からの入力ゲートが閉じられるとともに、内部ゲート２ｂ１２が開く（ＯＮになる）。尚、復元スイッチｂ１０が動作すれば作業用ＣＰＵの制御装置にプログラムの復元指令の信号も同時に出力される。
【００１１】尚、このブザーや発行ダイオードについては別の場所にいても確認できるようにするため専用の発信機を取り付けることも可能である。このようにすることで、パソコンをインターネットにつないだまま、いつでも受信できるようにしておいて外出した場合でも、トラブルが生じた場合には、携帯電話または固定電話で機械的なスイッチを動作できる。パソコンの作業用ＣＰＵに制御されていなければ必ずしも機械的ナスイッチでなくてもよいので、電話で制御できるものがパソコンに組み込まれておればよいことになる。
【００１２】さらに、本発明で新たに追加した外部ゲート、内部ゲート、バックアップ装置は必ずしも、別々のモールドとして分離されている必要はなく、電気的に等価な回路となって独立できていれば一体として成型することも可能である。このようにすることで、携帯電話のように持ち運べる機器に本発明を導入しやすくなるメリットがある。
【発明の効果】
【００１３】本発明のシステムをインターネット通信用情報処理装置に利用することで、ウイルスが浸入しても、自分のデータが勝手に持ち出されたり、内部のプログラムを破壊されたりしないので、安全に使用できる。このため、ウイルスを作っても意味が無くなるので、今後開発されるソフトにウイルス対策の部分が不要となり、安価となるとともに、処理速度を早くできる。また電源が停止したりしても安全が確保される
【図面の簡単な説明】
【００１４】
【図１】  従来のインターネット通信情報処理装置の一般的構成図を示す。
【図２】  本発明によるインターネット通信情報処理装置概略構成図を示す。  符号の説明  ａ１  従来の一般的作業用ＣＰＵの演算装置  ａ２  従来の一般的作業用ＣＰＵの制御装置  ａ３  従来の一般的作業用ＣＰＵの記憶装置  ｂ１  本発明の機械的スイッチである送信スイッチ  ｂ２  本発明の外部出力ゲート  ｂ３  本発明の外部入力ゲート  ｂ４  情報処理装置本体の作業用ＣＰＵにある演算装置  ｂ５  情報処理装置本体の作業用ＣＰＵにある制御装置  ｂ６  情報処理装置本体の主記憶装置  ｂ７  専用に組み込まれたウイルス検出用プロセッサー  ｂ８  ウイルス検出用プロセッサーのためのプログラムを提供するＲＯＭ  ｂ９  本発明の機械的スイッチである保存スイッチ  ｂ１０  本発明の機械的である復元スイッチ  ｂ１１  本発明の内部ゲート１  ｂ１２  本発明の内部ゲート２  ｂ１３  情報処理装置本体から独立した副記憶装置  ｂ１４  情報処理装置本体から独立した復元専用プロセッサー  ｂ１５  本発明の機械的スイッチ
【手続補正３】
【補正対象書類名】図面
【補正対象項目名】全図
【補正方法】変更
【補正の内容】
【図１】
2007018465.tif 000008
【図２】
2007018465.tif 000009